(57)【特許請求の範囲】
【請求項１】
単一の高品位画質番組或いは複数の標準画質番組からなる１チャンネル内の番組構成が時間によって変更可能であり、前記１チャンネルに含まれる単一の高品位画質番組或いは複数の標準画質番組のコンテンツと、前記各番組の構成を示す番組構成情報と、少なくとも前記１チャンネルに複数の標準画質番組が含まれる場合に所定の番組を選択する番組選択情報とが多重されており、番組構成の変更に伴い、前記番組構成情報が変更される多重信号が供給される受信装置であって、
少なくとも前記１チャンネルに複数の標準画質番組が含まれる番組構成に切り替わる際に、前記番組選択情報に基づいて所定の番組の番組構成情報を自動的に選択する選択手段と、
前記選択手段によって選択された番組構成情報に基づき、前記所定の番組のコンテンツを前記多重信号から抽出する分離手段と、
を有する受信装置。
【請求項２】
前記多重信号に含まれている番組の数は時間帯により変更され、
前記選択手段は、少なくとも前記番組の数が変更された場合に、前記所定の番組の番組構成情報を選択する
請求項１記載の受信装置。
【請求項３】
前記分離手段は、前記多重信号から前記番組選択情報を抽出して前記選択手段に供給する
請求項１記載の受信装置。
【請求項４】
前記分離手段で抽出された前記所定の番組のコンテンツを表示する表示手段を更に有する
請求項１記載の受信装置。
【請求項５】
前記分離手段で抽出された前記所定の番組のコンテンツを記録媒体に蓄積する蓄積手段を更に有する
請求項１記載の受信装置。
【請求項６】
前記分離手段で抽出された前記所定の番組のコンテンツを外部装置に出力する再送手段を更に有する
請求項１記載の受信装置。
【請求項７】
前記表示手段は、前記多重信号に多重されている前記番組構成情報が変更された場合に、番組構成が変更されたことを表示する
請求項４記載の受信装置。
【請求項８】
前記蓄積手段は、前記多重信号に多重されている前記番組構成情報が変更された場合に、番組構成が変更されたことを示す情報を前記記録媒体に蓄積する
請求項５記載の受信装置。
【請求項９】
前記再送手段は、前記多重信号に多重されている前記番組構成情報が変更された場合に、番組構成が変更されたことを示す情報を前記外部装置に出力する
請求項６記載の受信装置。
【請求項１０】
前記受信装置は、識別情報供給手段を更に有し、
前記選択手段は、前記選択した所定の番組の番組構成情報を前記識別情報供給手段に供給し、
前記識別情報供給手段は、前記所定の番組構成情報から、前記所定の番組のコンテンツを指定する番組識別情報を抽出して前記分離手段に供給し、
前記分離手段は、前記番組識別情報に基づいて前記多重信号から前記所定の番組のコンテンツを抽出する
請求項１記載の受信装置。
【請求項１１】
前記多重信号には、符号化された前記コンテンツと符号化された前記番組構成情報とが多重されており、
前記受信装置は、
前記分離手段で抽出された前記番組構成情報を復号する第１の復号手段と、
前記分離手段で抽出された前記所定の番組のコンテンツを復号する第２の復号手段と
を更に有し、
前記第１の復号手段で復号して得られた番組構成情報が前記選択手段に供給される
請求項１０記載の受信装置。
【請求項１２】
前記多重信号に多重されている前記番組構成情報は、前記番組の数が変更された場合に前記選択手段が選択すべき番組を指定する番組選択情報を有する
請求項１０記載の受信装置。
【請求項１３】
前記選択手段は、前記複数の番組のうち２つ以上の番組を選択可能である
請求項１記載の受信装置。
【請求項１４】
前記番組のコンテンツは、画像データと音声データと当該番組に関する番組関連データのうち、何れか１つ、複数または全部を有する
請求項１記載の受信装置。
【発明の詳細な説明】
【０００１】
【発明の属する技術分野】
本発明は、番組のコンテンツと当該番組の構成を示す番組構成情報とが多重されている多重信号が供給される受信装置に関する。
【０００２】
【従来の技術】
近年、マルチメディア化が進む中で、種々の情報をディジタルデータとして一元的に伝送する方式が提案され、実用化されている。
例えば、放送の分野では、１つの番組（１番組）のコンテンツを構成する画像（映像）データ、音声データ、番組関連データ等がディジタル化され、圧縮符号化などの処理を経て多重され、放送局から１チャンネルを用いて放送されている。
【０００３】
放送の分野では、通信衛星（ＣＳ）を用いたディジタル放送方式が定められており、我国では既に商用サービスが開始されている。
現行のサービスでは、各チャンネルで画像データ、音声データ、番組関連データ等がＭＰＥＧ（Motion Picture Expert Group の圧縮方式）で圧縮符号化されて多重され、放送されており、基本的には１チャンネルにつき１番組構成となっている。
この際、番組の画像データ、音声データ、番組関連データ等には識別子が割り当ててあり、受信装置では所望の番組の画像データ、音声データ、番組関連データ等に割り当てられた識別子を用いて、多重信号から所望の番組を抽出し、表示または蓄積（記録）等を行っている。
【０００４】
図６は、そのような各データが多重された放送を受信する従来の受信装置を示す概略ブロック図である。
この受信装置１００は、復調・誤り訂正手段１０と、分離手段２０と、第１の復号手段３０と、識別情報供給手段４０と、第２の復号手段５０と、表示手段６０と、蓄積手段７０とを有する。
【０００５】
復調・誤り訂正手段１０は、変調された多重信号Ａが不図示のアンテナ等から供給され、多重信号Ａに対して復調および誤り訂正を行う。
多重信号Ａには、１番組のコンテンツと当該１番組の構成を示す番組構成情報とが多重されている。
番組のコンテンツは、当該番組の画像データ、音声データ、番組関連データ等を有する。
復調・誤り訂正手段１０は、復調および誤り訂正が施された多重信号Ｂを分離手段２０に出力する。
【０００６】
分離手段２０は、復調・誤り訂正手段１０から多重信号Ｂが供給され、符号化されている番組構成情報Ｃを多重信号Ｂから分離する。
そして、分離手段２０は、番組構成情報Ｃを第１の復号手段３０に出力する。
【０００７】
第１の復号手段３０は、分離手段２０から番組構成情報Ｃが供給され、この番組構成情報Ｃを復号する。
第１の復号手段３０は、復号して得られた番組構成情報Ｄを識別情報供給手段４０に出力する。
【０００８】
識別情報供給手段４０は、第１の復号手段３０から番組構成情報Ｄが供給される。
識別情報供給手段４０は、表示手段６０に供給されるべき番組のコンテンツを指定する各識別子を、番組構成情報Ｄから番組識別情報Ｅとして抽出し、番組識別情報Ｅを分離手段２０に出力する。
【０００９】
分離手段２０は、番組識別情報Ｅに基づき、番組のコンテンツＦを多重信号Ｂから分離し、符号化されている前記コンテンツＦを第２の復号手段５０に出力する。
第２の復号手段５０は、分離手段２０からコンテンツＦが供給され、このコンテンツＦを復号する。
そして、第２の復号手段５０は、コンテンツＦを復号して得られたコンテンツＧを、表示手段６０または蓄積手段７０に出力する。
【００１０】
表示手段６０は、第２の復号手段５０からコンテンツＧが供給される。
表示手段６０は、コンテンツＧのうち画像データを画像表示（ビデオ表示）し、コンテンツＧのうち番組関連データ等を画像表示し、コンテンツＧのうち音声データを内蔵のスピーカから出力（オーディオ表示）する。
蓄積手段７０は、第２の復号手段５０からコンテンツＧが供給され、コンテンツＧをビデオテープ、光ディスクまたは半導体メモリなどの記録媒体に蓄積（記録）する。
【００１１】
図７は、受信装置１００が扱う番組構成例を説明する図である。
番組０では、画像データの識別子として「番組識別子０−画」が規定されている。
また、音声データの識別子として「番組識別子０−音」が規定されている。
更には、番組関連データの識別子として「番組識別子０−デ」が規定されている。
番組０のコンテンツを指定する番組識別情報（すなわち番組０の番組識別情報）は、番組０の画像データの識別子と、番組０の音声データの識別子と、番組０の番組関連データの識別子とを有する。
【００１２】
時刻１において、番組は、番組０から番組１に切り替わる。
番組１では、画像データの識別子として「番組識別子１−画」が規定されている。
また、音声データの識別子として「番組識別子１−音」が規定されている。
更には、番組関連データの識別子として「番組識別子１−デ」が規定されている。
番組１の番組識別情報は、番組１の画像データの識別子と、番組１の音声データの識別子と、番組１の番組関連データの識別子とを有する。
なお、第１の復号手段３０では、番組構成情報Ｄに基づき、時刻１において番組が番組０から番組１に切り替わることを予め検出することができ、切り替わり後の各識別子も検出することができる。
以下、同様にして番組が順次切り替わっていく。
【００１３】
時刻２において、番組は、番組１から番組２に切り替わる。
番組２では、画像データの識別子として「番組識別子２−画」が規定されている。
また、音声データの識別子として「番組識別子２−音」が規定されている。
更には、番組関連データの識別子として「番組識別子２−デ」が規定されている。
番組２の番組識別情報は、番組２の画像データの識別子と、番組２の音声データの識別子と、番組２の番組関連データの識別子とを有する。
【００１４】
時刻３において、番組は、番組２から番組３に切り替わる。
番組３では、画像データの識別子として「番組識別子３−画」が規定されている。
また、音声データの識別子として「番組識別子３−音」が規定されている。
更には、番組関連データの識別子として「番組識別子３−デ」が規定されている。
番組３の番組識別情報は、番組３の画像データの識別子と、番組３の音声データの識別子と、番組３の番組関連データの識別子とを有する。
【００１５】
図８は、受信装置１００における番組変更時（番組切り替わり時）の処理を説明する図である。
ステップＳ１０では、第１の復号手段３０は番組構成情報Ｃを復号して番組構成情報Ｄを生成する。
また、第１の復号手段３０は、番組構成情報Ｄの変更の検出処理を行う。
ステップＳ１０では、番組構成情報Ｃの復号処理および番組構成情報Ｄの変更の検出処理を繰り返し行う。
【００１６】
ステップＳ１１は、番組識別情報の抽出を行うステップである。
第１の復号手段３０が番組構成情報Ｄの変更を検出した場合は、識別情報供給手段４０は、変更された新しい番組識別情報Ｅを番組構成情報Ｄから抽出し、番組変更時に番組識別情報Ｅを分離手段２０に出力する。
第１の復号手段３０が番組構成情報Ｄの変更を検出しない場合は、識別情報供給手段４０は現状の番組識別情報Ｅを分離手段２０に出力する。
【００１７】
ステップＳ１２は、番組分離を行うステップである。
ステップＳ１２では、分離手段２０は番組識別情報Ｅに基づき、番組のコンテンツＦを多重信号Ｂから分離し、コンテンツＦを第２の復号手段５０に供給する。
ステップＳ１３は、符号化されているコンテンツＦの復号を行うステップである。ステップＳ１３では、第２の復号手段５０はコンテンツＦを復号してコンテンツＧを生成する。
番組のコンテンツＧは、番組の画像データ、音声データ、番組関連データ等を有する。
ステップＳ１４は、番組のコンテンツの表示または蓄積を行うステップである。
ステップＳ１４では、表示手段６０はコンテンツＧのビデオ表示およびオーディオ表示を行い、蓄積手段７０はコンテンツＧを蓄積する。
【００１８】
従来の番組構成では、基本的には１チャンネルにつき１番組が割り当てられており、１チャンネルにつき１番組が表示手段で表示される。
チャンネルが変更されない場合に番組変更があったときは、番組変更後の番組識別情報Ｅを番組構成情報Ｄから抽出し、この番組識別情報Ｅに基づいて多重信号Ｂから所定の番組のコンテンツＦを分離し、コンテンツＦに基づいて前記所定の番組の表示または蓄積を行う。
この場合、番組変更に伴う新たな番組のコンテンツを多重信号から抽出するための操作を視聴者が行う必要はなく、その抽出処理は受信装置が自動的に行っていた。
【００１９】
【発明が解決しようとする課題】
我国の放送衛星（ＢＳ）については、将来打ち上げが予定されているＢＳ４後発機で、ディジタル放送サービスを行う可能性がある。
このディジタル放送サービスでは、高精細ＴＶ（ＨＤＴＶ）用の番組の放送が可能な伝送容量を、１つのチャンネル（１チャンネル）に割り当てることが検討されており、この場合に同一の伝送容量を用いると、１チャンネルで標準ＴＶ（ＳＤＴＶ）用の番組を３番組程度も放送することが可能である。
このような状況では、放送事業者は時間帯によって１チャンネルの番組構成を変更することが可能となる。
【００２０】
番組構成が変更された場合、特に番組構成変更後に番組が複数あるときは、受信装置において何れの番組の表示または蓄積等を行うのかを決めることが必要である。
また、番組構成が変更された場合に、符号化方式または伝送方式の変更に伴って画質もしくは音質が変化するおそれがあり、受信装置の性能劣化の疑問などを視聴者が持たないようにするため、番組構成の変更を視聴者に知らせることが必要である。
【００２１】
本発明の主たる目的は、単一または複数の番組のコンテンツと前記番組の構成を示す番組構成情報とが多重されている多重信号が供給される受信装置であって、前記多重信号に複数の番組が含まれている場合に、所定の番組の選択および抽出が可能な受信装置を提供することにある。
本発明の他の目的は、前記多重信号に含まれている番組の構成が変更された場合に、変更後においても所定の番組の選択および抽出が可能な受信装置を提供することにある。
本発明の他の目的は、前記多重信号に含まれている番組の構成が変更された場合に、番組構成が変更されたことを視聴者に知らせることが可能な受信装置を提供することにある。
【００２２】
【課題を解決するための手段】
本発明に係る受信装置は、単一の高品位画質番組或いは複数の標準画質番組からなる１チャンネル内の番組構成が時間によって変更可能であり、前記１チャンネルに含まれる単一の高品位画質番組或いは複数の標準画質番組のコンテンツと、前記各番組の構成を示す番組構成情報と、少なくとも前記１チャンネルに複数の標準画質番組が含まれる場合に所定の番組を選択する番組選択情報とが多重されており、番組構成の変更に伴い、前記番組構成情報が変更される多重信号が供給される受信装置であって、少なくとも前記１チャンネルに複数の標準画質番組が含まれる番組構成に切り替わる際に、前記番組選択情報に基づいて所定の番組の番組構成情報を自動的に選択する選択手段と、前記選択手段によって選択された番組構成情報に基づき、前記所定の番組のコンテンツを前記多重信号から抽出する分離手段と、を有する。
【００２８】
【発明の実施の形態】
以下、本発明の実施の形態を添付図面を参照して説明する。
【００２９】
第１の実施の形態
図１は、本発明に係る受信装置の第１の実施の形態を説明する概略ブロック図である。
この受信装置２００は、単一または複数の番組のコンテンツと前記番組の構成を示す番組構成情報とが多重されている多重信号が供給され、例えば放送システムなどの受信装置として用いられる。
受信装置２００は、復調・誤り訂正手段２１０と、分離手段２２０と、第１の復号手段２３０と、選択手段２３５と、識別情報供給手段２４０と、第２の復号手段２５０と、表示手段２６０と、蓄積手段２７０と、再送手段２８０とを有する。
【００３０】
復調・誤り訂正手段２１０は、変調されている多重信号Ａ１が不図示のアンテナから供給され、多重信号Ａ１に対して復調および誤り訂正を行う。
復調・誤り訂正手段２１０は、復調および誤り訂正を行って得られた多重信号Ｂ１を分離手段２２０に出力する。
【００３１】
多重信号Ａ１，Ｂ１には、単一または複数の番組のコンテンツと前記番組の構成を示す番組構成情報とが多重されている。
一例として、番組構成情報は、前記単一または複数の番組と当該番組の各構成要素との関係を示すテーブル情報を有する。
そして、テーブル情報を第１のパケットに入れ、番組の各構成要素をその識別子に対応するパケットにそれぞれ入れ、番組番号と番組の各構成要素の識別子との対応関係をテーブル情報として表す。
番組は、画像データ、音声データ、番組関連データ等を構成要素として有し、これらの画像データ、音声データ、番組関連データ等により番組のコンテンツが構成される。
番組関連データは、番組の開始時刻および終了時刻に関連するデータを有してもよく、１チャンネルに対応する前記多重信号Ａ１に含まれる番組の数を示すデータを有してもよく、１チャンネルの伝送容量のうち当該番組で使用される伝送容量の割合を示すデータを有してもよい。
【００３２】
分離手段２２０は、復調・誤り訂正手段２１０から多重信号Ｂ１が供給される。
分離手段２２０は、符号化されている番組構成情報Ｃ１を多重信号Ｂ１から分離し、この番組構成情報Ｃ１を第１の復号手段２３０に出力する。
【００３３】
第１の復号手段２３０は、分離手段２２０から番組構成情報Ｃ１が供給され、この番組構成情報Ｃ１を復号し、復号して得られた番組構成情報Ｄ１を選択手段２３５に出力する。
【００３４】
選択手段２３５は、第１の復号手段２３０から番組構成情報Ｄ１が供給される。
選択手段２３５は、多重信号Ａ１，Ｂ１中に予め含まれている番組選択情報に基づき、番組構成情報Ｄ１から所定の番組の番組構成情報Ｄ２を抽出して識別情報供給手段２４０に出力する。
このようにして、選択手段２３５は、前記多重信号Ｂ１に複数の番組が含まれている場合は、当該複数の番組のうち所定の番組を選択する。
この選択手段２３５は、前記多重信号Ｂ１に単一の番組が含まれている場合は、当該番組を選択すべき所定の番組とし、当該番組の番組構成情報Ｄ２を識別情報供給装置２４０に出力するようになっている。
なお、番組構成情報中に番組選択情報を予め組み入れてもよく、テーブル情報中に番組選択情報を予め組み入れてもよい。
選択手段２３５は、番組構成情報Ｄ１の全部、または、番組構成情報Ｄ１のうちの選択部分である番組構成情報Ｄ２を、番組情報Ｈ１として表示手段２６０等に供給する。
選択手段２３５は、番組構成情報Ｄ１または番組構成情報Ｄ２が変更された場合に、変更されたことを示す情報を番組情報Ｈ１として表示手段２６０等に供給してもよい。
【００３５】
識別情報供給手段２４０は、前記所定の番組の番組構成情報Ｄ２から、前記所定の番組のコンテンツを指定する番組識別情報Ｅ１（すなわち前記所定の番組の番組識別情報Ｅ１）を抽出し、分離手段２２０に出力する。
一例として、識別情報供給手段２４０は、前記所定の番組の構成要素である画像データ、音声データ、番組関連データ等の識別子を前記テーブル情報から番組識別情報Ｅ１として抽出し、この番組識別情報Ｅ１を分離手段２２０に出力する。
【００３６】
分離手段２２０は、識別情報供給手段２４０から番組識別情報Ｅ１が供給される。
分離手段２２０は、番組識別情報Ｅ１に基づき、前記所定の番組のコンテンツＦ１を多重信号Ｂ１から抽出し、符号化されている前記コンテンツＦ１を第２の復号手段２５０に出力する。
【００３７】
第２の復号手段２５０は、分離手段２２０からコンテンツＦ１が供給され、このコンテンツＦ１を復号してコンテンツＧ１を生成する。
前記所定の番組のコンテンツＧ１は、当該番組の画像データ、音声データ、番組関連データ等を有する。
なお、選択手段２３５は、前記複数の番組のうち２つ以上の番組を選択してもよく、コンテンツＧ１は、複数の番組を構成する番組構成要素を有してもよい。
【００３８】
表示手段２６０は、第２の復号手段２５０からコンテンツＧ１が供給される。
表示手段２６０は、コンテンツＧ１のうち画像データを画像表示（ビデオ表示）し、コンテンツＧ１のうち番組関連データ等を画像表示し、コンテンツＧ１のうち音声データを内蔵のスピーカから出力（オーディオ表示）する
選択手段２３５が２以上の番組を選択した場合は、表示すべき番組は２以上であってもよく、この場合は２以上の画像データを同時にまたは時分割的にビデオ表示し、２以上の音声データを同時にまたは時分割的にオーディオ表示し、２以上の番組関連データ等を同時にまたは時分割的にビデオ表示してもよい。
なお、表示手段２６０は、番組情報Ｈ１をビデオ表示したりオーディオ表示したりする。
番組情報Ｈ１の表示により、１チャンネルの番組構成の変更を視聴者に知らせることができる。
【００３９】
蓄積手段２７０は、コンテンツＧ１と番組情報Ｈ１とをビデオテープ、光ディスク、半導体メモリなどの記録媒体に蓄積する。
再送手段２８０は、コンテンツＧ１と番組情報Ｈ１とを出力信号Ｊ１として不図示の外部装置に出力する。
【００４０】
図２は、本実施の形態に係る受信装置が扱う番組構成例を説明する図である。
この番組構成例では、１チャンネルの番組構成が時間帯により変更されている。
時刻１までは、１チャンネルの番組構成は、ＳＤＴＶ用の３番組（番組１０，２０，３０）の構成となっており、番組１０，２０，３０は画像データ、音声データおよび番組関連データを構成要素として有する。
時刻１から時刻２までは、１チャンネルの番組構成は、ＨＤＴＶ用の１番組（番組１１）の構成となっており、番組１１は画像データ、音声データおよび番組関連データを構成要素として有する。
時刻２から時刻３までは、１チャンネルの番組構成は、番組関連データを含むＳＤＴＶ用の１番組（番組１２）と、ＳＤＴＶ用の１番組（番組３２）の構成となっており、番組１２，３２は画像データ、音声データおよび番組関連データを構成要素として有する。
時刻３以降は、１チャンネルにおける番組構成は、ＳＤＴＶ用の３番組（番組１３，２３，３２）の構成となっており、番組１３，２３，３２は画像データ、音声データおよび番組関連データを構成要素として有する。
【００４１】
番組１０は、画像データの識別子として「番組識別子１０−画」が規定されている。
また、音声データの識別子として「番組識別子１０−音」が規定されている。
更には、番組関連データの識別子として「番組識別子１０−デ」が規定されている。
番組１０の番組識別情報は、番組１０の画像データの識別子と、番組１０の音声データの識別子と、番組１０の番組関連データの識別子とを有する。
【００４２】
同様にして、各番組Ｎは、画像データの識別子として「番組識別子Ｎ−画」が規定されている。
また、音声データの識別子として「番組識別子Ｎ−音」が規定されている。
更に、番組関連データの識別子として「番組識別子Ｎ−デ」が規定されている。ここで、Ｎ＝１１、１２、１３、２０、２３、３０または３２である。
番組Ｎの番組識別情報は、番組Ｎの画像データの識別子と、番組Ｎの音声データの識別子と、番組Ｎの番組関連データの識別子とを有する。
【００４３】
視聴者が番組を視聴する具体例として、時刻１までは番組１０を視聴し、時刻１から時刻２までは番組１１を視聴し、時刻２から時刻３までは番組１２を視聴し、時刻３からは番組１３を視聴する場合における、受信装置の動作を説明する。
受信装置２００では、１チャンネルの番組構成が変更された場合にその旨を表示し、多重信号に含まれている番組選択情報に基づき、番組構成変更時には所定の番組を選択し直すようになっている。
【００４４】
受信装置２００は、分離手段２２０で多重信号Ｂ１から番組構成情報Ｃ１を分離し、この番組構成情報Ｃ１を第１の復号手段２３０に出力する。
第１の復号手段２３０は、符号化されている番組構成情報Ｃ１を復号して得られた番組構成情報Ｄ１を、選択手段２３５に出力する。
第１の復号手段２３０は、番組構成情報Ｄ１に基づき、時刻１において番組構成がこれまでの１チャンネル３番組構成から１チャンネル１番組構成に変更されることを検出する。
【００４５】
選択手段２３５は、番組情報Ｈ１を生成して表示手段２６０等に供給し、表示手段２６０は番組構成の変更を表示して視聴者に知らせる。
また、選択手段２４０では、多重信号Ｂ１中に予め含まれている番組選択情報に基づき、番組構成の変更後に選択すべき番組１１の番組構成情報Ｄ２を番組構成情報Ｄ１から抽出し、識別情報供給手段２４０に供給する。
【００４６】
識別情報供給手段２４０は、番組１１の各構成要素に対応する識別子を番組構成情報Ｄ２から番組識別情報Ｅ１として抽出し、この番組識別情報Ｅ１を分離手段２２０に出力する。
ここでの番組識別情報Ｅ１は、「番組識別子１１−画」と、「番組識別子１１−音」と、「番組識別子１１−デ」とを有する。
この番組識別情報Ｅ１により、番組１１のコンテンツが指定される。
【００４７】
分離手段２２０は、番組識別情報Ｅ１に基づき、番組１１のコンテンツＦ１を多重信号Ｂ１から分離し、符号化されているコンテンツＦ１を第２の復号手段２５０に出力する。
第２の復号手段２５０はコンテンツＦ１を復号してコンテンツＧ１を生成し、番組１１のコンテンツＧ１を表示手段２６０等に出力する。
表示手段２６０は、番組１１のコンテンツを表示する。
蓄積手段２７０は、番組１１のコンテンツを蓄積する。
再送手段２８０は、番組１１のコンテンツを外部出力する。
【００４８】
同様にして、第１の復号手段２３０は、１チャンネルの番組構成が時刻２において番組１１から番組１２，３２に変更されることを検出し、選択手段２３５は多重信号Ｂ１中に予め含まれている番組選択情報に基づき、番組構成変更後に選択すべき番組１２の番組構成情報Ｄ２を番組構成情報Ｄ１から抽出し、以後は番組１１の場合と同様の処理を行う。
【００４９】
同様にして、第１の復号手段２３０は、１チャンネルの番組構成が時刻３において番組１２，３２から番組１３，２３，３２に変更されることを検出し、選択手段２３５は多重信号Ｂ１中に予め含まれている番組選択情報に基づき、番組構成変更後に選択すべき番組１３の番組構成情報Ｄ２を番組構成情報Ｄ１から抽出し、以後は番組１１の場合と同様の処理を行う。
【００５０】
図３は、受信装置２００における番組構成変更時の処理を説明する図である。
ここでは、番組構成情報に番組選択情報が予め含まれている場合の処理例を説明する。
ステップＳ３０では、第１の復号手段２３０は番組構成情報Ｃ１を復号して得られた番組構成情報Ｄ１を、選択手段２４０に出力する。
第１の復号手段２３０は、番組構成の変更（切り替わり）を検出した場合、切り替わり後の新しい番組構成情報Ｄ１を番組構成変更時に選択手段２３５に出力すると共に、引き続きステップＳ３０の番組構成情報Ｃ１の復号処理および切り替わりの検出処理を行う。
第１の復号手段２３０は、番組構成の変更（切り替わり）を検出しない場合、現在の番組構成情報Ｄ１を選択手段２３５に出力すると共に、引き続きステップＳ３０の番組構成情報Ｃ１の復号処理および切り替わりの検出処理を行う。
【００５１】
ステップＳ３１は、番組の選択を行うステップである。
ステップＳ３１では、選択手段２３５は、第１の復号手段２３０から番組構成情報Ｄ１が入力される。
選択手段２３５は、番組構成情報Ｄ１に含まれている番組選択情報に基づき、この番組選択情報が指定する番組の番組構成情報Ｄ２を、番組構成情報Ｄ１から抽出する。
また、選択手段２３５は、番組情報Ｈ１を生成して表示手段２６０等に供給する。
【００５２】
ステップＳ３２は、番組識別情報の抽出を行うステップである。
ステップＳ３２では、識別情報供給手段２４０は番組構成情報Ｄ２から番組識別情報Ｅ１を選択して分離手段２２０に出力する。
ステップＳ３３は、番組分離を行うステップである。
ステップＳ３３では、分離手段２２０は、番組識別情報Ｅ１が指定する番組のコンテンツＦ１を多重信号Ｂ１から分離し、コンテンツＦ１を第２の復号手段２５０に出力する。
ステップＳ３４は、番組復号を行うステップである。
ステップＳ３４では、第２の復号手段２５０は、例えばＭＰＥＧ等により符号化されているコンテンツＦ１を復号し、復号により得られたコンテンツＧ１を、表示手段２６０等に出力する。
【００５３】
ステップＳ３５は、番組の表示、蓄積および再送を行うステップである。
ステップＳ３５では、表示手段２６０、蓄積手段２７０および再送手段２８０は、第２の復号手段２５０からコンテンツＧ１が供給される。
表示手段２６０は、コンテンツＧ１のうち画像データを表示画面に表示し、コンテンツＧ１のうち番組関連データ等を表示画面に表示し、コンテンツＧ１のうち音声データを内蔵のスピーカから音声出力する。
また、表示手段２６０は、番組情報Ｈ１を表示画面に表示したり、番組情報Ｈ１をスピーカから音声出力したりする。
蓄積手段２７０は、コンテンツＧ１と番組情報Ｈ１とを記録媒体に蓄積する。
再送手段２８０は、コンテンツＧ１と番組情報Ｈ１とを出力信号Ｊ１として外部出力する。
【００５４】
以上述べたように、本実施の形態に係る受信装置は、多重信号Ｂ１ひいては多重信号Ａ１に予め含まれている番組選択情報に基づき、番組構成が変更される時刻において複数の番組から所定の番組を選択することができる。
この場合、番組選択情報は、必ずしも１番組を指定する情報でなくてもよく、２つ以上の番組を指定する情報であってもよい。
【００５５】
第２の実施の形態
図４は、本発明に係る受信装置の第２の実施の形態を説明する概略ブロック図である。
この受信装置３００の基本構成は上述した受信装置２００と同様であるが、受信装置３００では、受信装置３００によって予め設定された番組が番組構成変更時に選択されるようになっている。
受信装置３００における選択手段２３６以外の機能および動作は、受信装置２００と同様であり、同一部分の説明を省略する。
【００５６】
受信装置３００によって予め定められた番組は一例として番組番号が最も小さい番組であり、選択手段２３６は、選択手段２３６内に演算手段を備えて番組番号が最も小さい番組を指定する番組選択情報を生成し、この番組選択情報に基づいて番組構成情報Ｄ２を選択する。
選択手段２３６には、第１の復号手段２３０から番組構成情報Ｄ１が供給される。
選択手段２３６は、前記番組選択情報に基づき、番組構成情報Ｄ１から所定の番組の番組構成情報Ｄ２を選択し、この番組構成情報Ｄ２を識別情報供給手段２４０に出力する。
このようにして、選択手段２３６は、１チャンネルに複数の番組が含まれている場合は、当該複数の番組のうち所定の番組を選択する。
この選択手段２３６は、１チャンネルに単一の番組が含まれている場合は、当該番組を選択すべき所定の番組とし、当該番組の番組構成情報Ｄ２を識別情報供給装置２４０に出力するようになっている。
選択手段２３６は、番組構成情報Ｄ１の全部、または、番組構成情報Ｄ１のうちの選択部分である番組構成情報Ｄ２を、番組情報Ｈ１として表示手段２６０等に供給する。
選択手段２３６は、番組構成情報Ｄ１または番組構成情報Ｄ２が変更された場合に、変更されたことを示す情報を番組情報Ｈ１として表示手段２６０等に供給してもよい。
【００５７】
受信装置３００が扱う番組構成例を、第１の実施の形態と同様にして、図２に示す。
第１の実施の形態と同様に、視聴者が番組を視聴する具体例として、時刻１までは番組１０を視聴し、時刻１から時刻２までは番組１１を視聴し、時刻２から時刻３までは番組１２を視聴し、時刻３からは番組１３を視聴する場合における、受信装置３００の動作を説明する。
この場合、表示手段２６０は番組構成が変化したときにその旨を表示し、選択手段２３６は受信装置３００によって予め定められた所定の番組を選択するようになっている。
受信装置３００の選択手段２３６が、番組番号が最も小さい番組を選択する場合の動作を、以下に説明する。
【００５８】
受信装置３００内の分離手段２２０は、多重信号Ｂ１から番組構成情報Ｃ１を分離し、この番組構成情報Ｃ１を第１の復号手段２３０に出力する。
第１の復号手段２３０は、番組構成情報Ｃ１を復号して番組構成情報Ｄ１を生成する。
第１の復号手段２３０では、番組構成情報Ｄ１に基づき、時刻１において番組構成がこれまでの１チャンネル３番組構成から１チャンネル１番組構成に変更されることを検出する。
【００５９】
選択手段２３６は、番組情報Ｈ１を表示手段２６０等に出力し、表示手段２６０は番組構成の変更の旨を表示して視聴者に知らせる。
また、選択手段２３６では、受信装置３００によって予め定められた番組（番組構成変更後に選択すべき番組）、すなわち番組番号が最も小さい番組１１を検出して番組選択情報を生成し、この番組選択情報に基づいて番組１１の番組構成情報Ｄ２を番組構成情報Ｄ１から抽出する。
識別情報供給手段２４０は、番組構成情報Ｄ２から番組識別情報Ｅ１を抽出して分離手段２２０に供給する。
ここでの番組識別情報Ｅ１は、番組１１に関する「番組識別子１１−画」、「番組識別子１１−音」および「番組識別子１１−デ」を有して構成される。
分離手段２２０では、番組識別情報Ｅ１に基づいて多重信号Ｂ１から番組１１のコンテンツＦ１を分離し、コンテンツＦ１を第２の復号手段２５０に出力する。
第２の復号手段２５０は、符号化されているコンテンツＦ１を復号してコンテンツＧ１を生成し、番組１１のコンテンツＧ１を表示手段２６０等に出力する。
【００６０】
同様にして、第１の復号手段２３０は、１チャンネルの番組構成が時刻２において番組１１から番組１２，３２に変更される（切り替わる）ことを検出し、選択手段２３６は受信装置３００によって予め定められた番組（番組構成変更後に選択すべき番組）、すなわち番組番号が最も小さい番組１２の番組構成情報Ｄ２を番組構成情報Ｄ１から抽出し、以後は番組１１と同様の処理を行う。
【００６１】
同様にして、第１の復号手段２３０は、１チャンネルの番組構成が時刻３において番組１２，３２から番組１３，２３，３２に変更される（切り替わる）ことを検出し、選択手段２４０は受信装置によって予め定められた番組（番組構成変更後に選択すべき番組）、すなわち番組番号が最も小さい番組１３の番組構成情報Ｄ２を番組構成情報Ｄ１から抽出し、以後は番組１１と同様の処理を行う。
【００６２】
受信装置３００における番組構成変更時の処理は、第１の実施の形態と基本的に同様であり、図３を参照して説明する。
ステップＳ３１以外のステップでは、第１の実施の形態に係る受信装置２００と同様の処理を行うので、同一部分の説明を省略する。
ステップＳ３１は、番組の選択を行うステップである。
ステップＳ３１では、選択手段２４０は受信装置３００によって予め定められた番組、すなわち番組番号が最も小さい番組を指定する番組選択情報を生成する。
選択手段２３６は、番組選択情報に基づいて番組番号が最も小さい番組の番組構成情報Ｄ２を番組構成情報Ｄ１から抽出し、識別情報供給手段２４０に出力する。
また、選択手段２３６は、番組情報Ｈ１を生成して表示手段２６０等に供給する。
このように受信装置３００では、前記番組選択情報に基づき、番組構成変更時に複数の番組から所定の番組を選択することができる。
なお、前記番組選択情報は、必ずしも１番組を指定する情報でなくてもよく、２以上の番組を指定する情報であってもよい。
【００６３】
第３の実施の形態
図５は、本発明に係る受信装置の第３の実施の形態を説明する概略ブロック図である。
この受信装置４００の基本構成は、第１の実施の形態に係る受信装置２００と同様であるが、受信装置４００では、番組構成が変更されたときに受信装置の使用者（ユーザ）の一例である視聴者２９０が番組を選択できるようになっている。
受信装置４００において選択手段２３７以外の機能および動作は、第１の実施の形態に係る受信装置２００と同様であるので、同一部分の説明を省略する。
【００６４】
選択手段２３７は、第１の復号手段２３０から番組構成情報Ｄ１が供給される。
選択手段２３７は、視聴者２９０からの番組選択情報Ｉ１に基づき、番組構成情報Ｄ１から所定の番組の番組構成情報Ｄ２を抽出して識別情報供給手段２４０に供給する。
選択手段２３７は、番組構成情報Ｄ１の全部、または、番組構成情報Ｄ１のうちの選択部分である番組構成情報Ｄ２を、番組情報Ｈ１として表示手段２６０等に出力する。
受信装置４００が扱う番組構成例を、第１の実施の形態と同様に、図２に示す。
図２については、第１の実施の形態で既に説明しており、その説明を省略する。
【００６５】
第１の実施の形態と同様に、視聴者２９０が番組を視聴する具体例として、時刻１までは番組１０を視聴し、時刻１から時刻２までは番組１１を視聴し、時刻２から時刻３までは番組１２を視聴し、時刻３からは番組１３を視聴する場合における、受信装置４００の動作を説明する。
受信装置４００では、番組構成が変化したときにその旨を表示手段２６０に表示し、視聴者２９０が選択した番組が表示手段２６０に表示されるようになっている。
【００６６】
受信装置４００では、分離手段２２０は、多重信号Ｂ１から番組構成情報Ｃ１を分離し、この番組構成情報Ｃ１を第１の復号手段２３０に出力する。
第１の復号手段２３０は、符号化されている番組構成情報Ｃ１を復号して番組構成情報Ｄ１を生成し、この番組構成情報Ｄ１を選択手段２３７に出力する。
第１の復号手段２３０は、時刻１において番組構成がこれまでの１チャンネル３番組構成から１チャンネル１番組構成に変更されることを検出する。
選択手段２３７は、番組情報Ｈ１を表示手段２６０等に供給する。
【００６７】
視聴者２９０は、表示手段２６０での番組情報Ｈ１の表示から番組構成の変更を認識することができる。
視聴者２９０は、番組構成変更後における視聴する番組１１を選択し、選択した番組を示す番組選択情報Ｉ１を選択手段２３７に供給する。
すると、選択手段２３７では、視聴者２９０によって選択された番組１１の番組構成情報Ｄ２を番組構成情報Ｄ１から選択し、識別情報供給手段２４０に出力する。
識別情報供給手段２４０では、番組構成情報Ｄ２から番組１１のコンテンツを指定する番組識別情報（番組識別子１１−画、番組識別子１１−音、番組識別子１１−デ）Ｅ１を抽出し、分離手段２２０に供給する。
【００６８】
分離手段２２０では、番組識別情報Ｅ１に基づき、番組１１のコンテンツＦ１を多重信号Ｂ１から分離し、符号化されているコンテンツＦ１を第２の復号手段２５０に出力する。
第２の復号手段２５０は、コンテンツＦ１を復号してコンテンツＧ１を生成し、番組１１のコンテンツＧ１を表示手段２６０等に出力する。
【００６９】
同様にして、第１の復号手段２３０は、１チャンネルの番組構成が時刻２において番組１１から番組１２，３２に変更される（切り替わる）ことを検出する。
視聴者２９０は、表示手段２６０での番組情報Ｈ１の表示から番組構成の変更を認識することができる。
視聴者２９０は、番組構成変更後における視聴する番組１２を選択し、この番組１２を示す番組選択情報Ｉ１を選択手段２３７に供給する。
すると、選択手段２３７は、視聴者２９０によって選択された番組１２の番組構成情報Ｄ２を番組構成情報Ｄ１から抽出し、以降は番組１１と同様の処理を行う。
【００７０】
同様にして、第１の復号手段２３０は、１チャンネルの番組構成が時刻３において番組１２，３２から番組１３，２３，３２に変更されることを検出する。
視聴者２９０は、表示手段２６０での番組情報Ｈ１の表示から番組構成の変更を認識することができる。
視聴者２９０は、番組構成変更後における視聴する番組１３を選択し、この番組１３を示す番組選択情報Ｉ１を選択手段２３７に供給する。
すると、選択手段２３７は、視聴者２９０によって選択された番組１３の番組構成情報Ｄ２を番組構成情報Ｄ１から抽出し、以降は番組１１と同様の処理を行う。
【００７１】
受信装置４００における番組構成変更時の処理は、第１の実施の形態と基本的に同様であり、図３を参照して説明する。
ステップＳ３１以外のステップは第１の実施の形態と同様であり、同一部分の説明を省略する。
ステップＳ３１は、番組の選択を行うステップであり、視聴者２９０によって番組の選択が行われる。
ステップＳ３１では、選択手段２３７には、視聴者２９０が選択した所定の番組を示す番組選択情報Ｉ１が、番組構成が変更される時刻に供給される。
選択手段２３７は、番組選択情報Ｉ１に基づき、所定の番組の番組構成情報Ｄ２を番組構成情報Ｄ１から選択し、識別情報供給手段２４０に供給する。
なお、視聴者２９０が選択する番組は、必ずしも１番組でなくてもよく、２以上の番組を選択してもよい。
また、視聴者２９０は必ずしも人間である必要はなく、番組選択が可能なコンピュータ等の機器で構成してもよい。
また、視聴者２９０が遠隔制御装置または番組選択用のスイッチを操作することにより、番組選択情報Ｉ１を選択手段２３７に入力してもよい。
【００７２】
更に、受信装置４００では、番組構成の変更があることを予め承知している視聴者２９０が予約等を利用して、番組構成変更時に選択される番組を予め指定できるようにしてもよい。
視聴者２９０が選択した番組を示す番組選択情報Ｉ１は、受信装置４００内または選択手段２３７内の内部メモリに予め記憶しておき、前記内部メモリに記憶されている番組選択情報Ｉ１に基づいて選択手段２３７は番組構成情報Ｄ２を番組構成変更時に選択するようにしてもよい。
【００７３】
１チャンネルの番組構成が変更された場合に、符号化方式または伝送方式の変更に伴って画質もしくは音質が変化するおそれがあるが、上述した受信装置２００〜４００では、表示手段２６０等を用いて番組構成変更を視聴者もしくは受信装置の使用者（ユーザ）に知らせることができる。
したがって、上述した受信装置２００〜４００によれば、番組構成変更時において、受信装置の性能劣化などの疑問を視聴者が持たないようにする（受信装置が視聴者に働きかける）ことが可能である。
また、上述した受信装置２００〜４００によれば、番組構成変更後においても複数の番組から所定の番組の選択および抽出が可能である。
【００７４】
なお、上記第１の実施の形態に係る受信装置２００において、視聴者による番組選択情報Ｉ１の入力が可能な構成とし、多重信号中に含まれている番組選択情報よりも視聴者が入力した番組選択情報Ｉ１を優先する構成とし、多重信号中に含まれている番組選択情報をデフォルト値として用いる構成としてもよい。
上記第２の実施の形態に係る受信装置３００において、視聴者による番組選択情報Ｉ１の入力が可能な構成とし、受信装置３００で予め設定されている前記番組よりも視聴者が入力した番組選択情報Ｉ１が示す番組を優先して選択する構成とし、受信装置３００で予め設定されている前記番組をデフォルト値（視聴者が入力しない場合の値）として選択する構成としてもよい。
【００７５】
分離手段２２０は、多重信号Ｂ１から番組構成情報Ｃ１を抽出して第１の復号手段２３０に供給する第１の抽出手段と、多重信号Ｂ１から所定の番組のコンテンツＦ１を抽出して第２の復号手段２５０に供給する第２の抽出手段とにより構成してもよい。
多重信号Ａ１は、放送局から１チャンネルを用いて放送されて不図示の受信アンテナを介して上記実施の形態に係る受信装置に供給されるようにしてもよい。
また、１番組のコンテンツは、画像データと音声データと当該番組に関する番組関連データのうち、何れか１つ、複数または全部により構成してもよい。
【００７６】
上記したように、本発明に係る受信装置は、例えばＨＤＴＶ用の１チャンネルを用いてＳＤＴＶ用の複数の番組を伝送する場合に、有効である。
本発明に係る受信装置は、単一または複数の番組のコンテンツを１チャンネルで伝送する伝送システムのうち、放送システムの受信装置として用いてもよく、通信システムの受信装置として用いてもよい。
なお、上記実施の形態は本発明の例示であり、本発明は上記実施の形態に限定されない。
【００７７】
【発明の効果】
上述したように、本発明に係る受信装置によれば、単一または複数の番組のコンテンツと前記番組の構成を示す番組構成情報とが多重されている多重信号が供給される受信装置であって、多重信号に複数の番組が含まれている場合に、所定の番組の選択および抽出が可能な受信装置を提供することができる。
【００７８】
また、本発明に係る受信装置では、前記多重信号は、多重信号中の番組数の変更後に前記選択手段が選択すべき番組を指定する番組選択情報を有し、前記番組選択情報が前記選択手段に供給される構成とすることで、受信装置では前記多重信号中の番組構成の変更後においても所定の番組の選択および抽出が可能である。
また、本発明に係る受信装置では、多重信号中の番組数の変更後に前記選択手段が選択すべき番組は、前記受信装置に予め設定されている構成とすることで、受信装置では前記多重信号中の番組構成の変更後においても所定の番組の選択および抽出が可能である。
【００７９】
また、本発明に係る受信装置では、前記多重信号に多重されている番組構成情報が変更された場合に番組構成が変更されたことを表示する表示手段を有することで、多重信号中の番組構成が変更されたことを視聴者に知らせることができる。
【図面の簡単な説明】
【図１】本発明に係る受信装置の第１の実施の形態を説明する概略ブロック図である。
【図２】本発明に係る受信装置が扱う番組構成例を説明する図である。
【図３】本発明に係る受信装置における番組構成変更時の処理を説明する図である。
【図４】本発明に係る受信装置の第２の実施の形態を説明する概略ブロック図である。
【図５】本発明に係る受信装置の第３の実施の形態を説明する概略ブロック図である。
【図６】従来の受信装置を例示する概略ブロック図である。
【図７】従来の受信装置が扱う番組構成例を説明する図である。
【図８】従来の受信装置における番組変更時の処理を説明する図である。
【符号の説明】
１０，２１０…復調・誤り訂正手段、２０，２２０…分離手段、３０，２３０…第１の復号手段、４０，２４０…識別情報供給手段、５０，２５０…第２の復号手段、６０，２６０…表示手段、７０，２７０…蓄積手段、１００，２００，３００，４００…受信装置、２３５〜２３７…選択手段、２８０…再送手段、２９０…視聴者（使用者）、Ａ，Ａ１，Ｂ，Ｂ１…多重信号、Ｃ，Ｃ１，Ｄ，Ｄ１…番組構成情報、Ｅ，Ｅ１…番組識別情報、Ｆ，Ｆ１，Ｇ，Ｇ１…コンテンツ、Ｈ１…番組情報、Ｉ１…番組選択情報、Ｊ１…出力信号。
【図１】
0004727009.tif 000002
【図２】
0004727009.tif 000003
【図３】
0004727009.tif 000004
【図４】
0004727009.tif 000005
【図５】
0004727009.tif 000006
【図６】
0004727009.tif 000007
【図７】
0004727009.tif 000008
【図８】
0004727009.tif 000009